(57)【要約】【課題】ツイン・スケグ・タイプのプロペラ推進の船舶において、プロペラ・ディスク面内の流れをより均一化でき、プロペラ作動に伴う船体振動の発生の低減、及び、プロペラキャビテーションの発生の低減を図ることができる船舶を提供する。【解決手段】方形係数Ｃｂが０．６５以上０．９０以下のツイン・スケグ・タイプの船舶１Ａにおいて、船尾垂線ＡＰよりラン長さＬｒの２５％〜３０％前方の範囲内の少なくとも１つの断面船体形状Ｘ１において、シャフトセンタＳＣより外側の船体幅Ｂ１ｏは、シャフトセンタ高さｄｓｃの３０％〜９０％の高さ分だけ基線ＢＬより上の水線位置ｄ１ｍで局所的な最大値Ｂ１ｏｍを持つと共に、この水線位置ｄ１ｍで、片舷の全船体幅Ｂ１ｍが満載喫水における船体幅の１０％〜２５％で内側の船体幅Ｂ１ｉｍよりも外側の船体幅Ｂ１ｏｍが大きくなるように構成する。【選択図】図１
2008013039.tif 000002
【特許請求の範囲】
【請求項１】
満載喫水における方形係数が０．６５以上０．９０以下のツイン・スケグ・タイプのプロペラ推進の船舶であって、                                                        船尾垂線よりラン長さの２５％以上３０％以下前方の範囲内の少なくとも１つの断面船体形状において、
シャフトセンタより外側の船体幅が、シャフトセンタ高さの３０％以上９０％以下の高さ分だけ基線より上の水線位置で局所的な最大値を持つと共に、該局所的な最大値を持つ水線位置で、シャフトセンタを含む鉛直線により分けられる内外の船体幅に関して、内側の船体幅と外側の船体幅の合計が満載喫水における船体幅の１０％以上２５％以下で内側の船体幅よりも外側の船体幅が大きいことを特徴とする船舶。
【請求項２】
船尾垂線より垂線間長の５％前方の断面船体形状において、シャフトセンタより外側の船体幅が、シャフトセンタ高さの４０％以上１００％以下の高さ分だけ基線より上の水線位置で局所的な最大値を持つと共に、該局所的な最大値を持つ水線位置での内側の船体幅と外側の船体幅の合計に対して、基線よりもシャフトセンタ高さの１７０％上の水線位置での内側の船体幅と外側の船体幅の合計が、０．０倍以上０．４倍以下となることを特徴とする請求項１記載の船舶。
【請求項３】
満載喫水における方形係数が０．６５以上０．９０以下のツイン・スケグ・タイプのプロペラ推進の船舶であって、２軸間のトンネル部の後方の船体の後端部に、該トンネル部内の流速を減速させる流速抑制部材を設けたことを特徴とする船舶。
【請求項４】
２軸間のトンネル部の後方の船体の後端部に、該トンネル部内の流速を減速させる流速抑制部材を設けたことを特徴とする請求項１又は２記載の船舶。
【請求項５】
前記流速抑制部材を側面視で楔形状をした部材で形成したことを特徴とする請求項３又は４記載の船舶。
【発明の詳細な説明】
【技術分野】
【０００１】
本発明は、プロペラ位置における伴流分布を改善した、ツイン・スケグ・タイプのプロペラ推進の船舶に関する。
【背景技術】
【０００２】
大型船舶などの２軸船においては、そのプロペラ軸を支持する方法が幾つかあるが、図１２に示すような、プロペラ軸を船体の一部で包むようにしたツイン・スケグ・タイプ（ツイン・ゴンドラ・タイプ）の２軸プロペラ推進の船舶１Ｘが使用されることがある（例えば、特許文献１参照。）。
【０００３】
この船舶１Ｘにおいては、スケグ１０の内側のトンネル部（トンネル状船底凹部）２を流れる流速が、トンネル部２の外側を流れる流速よりも速くなる傾向があり、そのため、プロペラディスク面内に流れ込む流れにおいて外側と内側の流速の差が大きくなって伴流分布が不均一になるという問題がある。その結果、プロペラを作動させたときに、プロペラの翼が異なる流速部分を繰り返し通過することになるため、プロペラ軸に振動が発生し、このプロペラ軸を支持する船体にも振動が伝播して、船体振動が誘発される場合がある。また、プロペラキャビテーションも発生し易くなるという問題もある。
【０００４】
なお、このプロペラ面における流れの均一化を図ったものとして、プロペラ軸の保護スリーブをその上方に位置する船尾部船体表面にフィレットで支持させるようにしたフィレット方式の２軸船ではあるが、プロペラ軸保護スリーブの下側部にプロペラ軸の突出位置よりも船首側まで延びるようにフィンを取り付けて、このフィンの前端部側を船体表面部の流線に沿う向きに張出す一方、後端部側を下向きに張り出した構造にして、船底からの流れをこのフィンで誘導して、プロペラ面に均一に流れ込ますようにした、多軸船の推進性能向上装置が提案されている（例えば、特許文献２参照。）。
【特許文献１】特開平０８−１３３１７２号公報
【特許文献２】特開平１０−１６７１８３号公報
【発明の開示】
【発明が解決しようとする課題】
【０００５】
本発明は、ツイン・スケグ・タイプのプロペラ推進の船舶において、プロペラ・ディスク面内の流れをより均一化でき、プロペラ作動に伴う船体振動の発生の低減、及び、プロペラキャビテーションの発生の低減を図ることができる船舶を提供することにある。
【課題を解決するための手段】
【０００６】
上記の目的を達成するための本発明の船舶は、満載喫水における方形係数が０．６５以上０．９０以下のツイン・スケグ・タイプのプロペラ推進の船舶であって、船尾垂線よりラン長さの２５％以上３０％以下前方の範囲内の少なくとも１つの断面船体形状において、シャフトセンタより外側の船体幅が、シャフトセンタ高さの３０％以上９０％以下の高さ分だけ基線より上の水線位置で局所的な最大値を持つと共に、該局所的な最大値を持つ水線位置で、シャフトセンタを含む鉛直線により分けられる内外の船体幅に関して、内側の船体幅と外側の船体幅の合計が満載喫水における船体幅の１０％以上２５％以下で内側の船体幅よりも外側の船体幅が大きいことを特徴として構成される。
【０００７】
この構成により、従来のツイン・スケグ・タイプの船舶におけるスケグの外側において、船底から船体に沿って上昇してくる流れを、淀みが発生し易いプロペラの上部側に巻き込むことができ、このプロペラの外側の上部部分の流速を増加して、伴流分布を均一化して改善することができる。この伴流分布の改善により、プロペラ作動時の船体振動の発生の低減、及び、プロペラキャビテーションの発生の低減を図ることができる。
【０００８】
また、上記の船舶において、更に、船尾垂線より垂線間長の５％前方の断面船体形状において、シャフトセンタより外側の船体幅が、シャフトセンタ高さの４０％以上１００％以下の高さ分だけ基線より上の水線位置で局所的な最大値を持つと共に、該局所的な最大値を持つ水線位置での内側の船体幅と外側の船体幅の合計に対して、基線よりもシャフトセンタ高さの１７０％上の水線位置での内側の船体幅と外側の船体幅の合計が、０．０倍以上０．４倍以下となることを特徴として構成すると、この構成により、プロペラディスの直前の断面位置形状を、スケグの外側において、船底からの流れをプロペラの上部側に流れ込ませることができる形状にすることができるので、このプロペラ上部における流速をより増加することができ、伴流分布をより改善することができる。
【０００９】
また、上記の目的を達成するための本発明の船舶は、満載喫水における方形係数が０．６５以上０．９０以下のツイン・スケグ・タイプのプロペラ推進の船舶であって、２軸間のトンネル部の後方の船体の後端部に、該トンネル部内の流速を減速させる流速抑制部材を設けたことを特徴として構成される。
【００１０】
この構成によれば、２軸の間のトンネル部における流速を、流速抑制部材で減少させることができるので、スケグの外側の部分の比較的遅い流速にスケグの内側の部分の流速を近づけることができ、伴流分布を改善することができる。なお、この流速抑制部材は側面視で楔形状に形成された部材で構成することができ、別部材として船尾端に取り付けても良く、船体形状の一部として船尾端に一体的に形成してもよい。
【００１１】
更に、上記の目的を達成するための本発明の船舶は、上記のスケグの形状と上記の流速抑制部材との両方を備えた船舶として構成される。この併用した構成によれば、両方の相乗効果が生じ、著しく伴流分布を改善できる。
【００１２】
従って、上記の船舶によれば、伴流分布の不均一性を改善できるので、プロペラ作動時の船体振動の発生の低減、及び、プロペラキャビテーションの発生の低減を図ることができる。
【００１３】
次に、上記の構成における数値的な意味について説明する。上記の構成で、満載喫水における方形係数（Ｃｂ）の下限を０．６５以上とするのは、方形係数が０．６５未満の比較的痩せている船舶では、伴流分布の不均一性は大きな問題とならず、方形係数が０．６５以上の比較的肥っている船舶で伴流分布の不均一性が問題となる上に、本発明の効果が大きいためである。この方形係数は、船体の水線下の容積のやせている度合を示す係数であり、船の排水容積と水線下の長さ・幅・平均喫水で表される直方体容積との比である。この方形係数は喫水によって多少変化するので、ここでは、満載喫水における方形係数とする。なお、方形係数の上限に関しては、理論的には１．０であるが、方形係数が１．０の船型は箱型となるので、自航する場合は殆ど使用されない。そのため、ここでは上限値を実用的な範囲の０．９０とした。
【００１４】
また、ツイン・スケグ・タイプのプロペラ推進の船舶とするのは、ツイン・スケグ・タイプの場合には、２軸の間にトンネル部を有する構造となるため、２軸間のトンネル部の流れと外側の流れとがスケグにより分離されて、プロペラディスク面に流れ込むために、プロペラディスク面内における伴流分布の不均一性が大きくなるので、本発明の効果が大きいからである。一方、シャフトブラケットでプロペラ軸を支持する構造では、２軸間の流れと外側の流れとが分離されずにプロペラディスク面に流れ込むため、プロペラディスク面内における伴流分布の不均一性はそれほど大きくならない。
【００１５】
また、断面船体形状の位置に関しては、船底からの流れが、船尾垂線よりラン長さ（船尾側の平行部の終端位置から船尾垂線までの長さ）の２５％以上３０％以下前方の範囲内で、船底から上部側に流れ込み始めるので、この範囲内の断面位置（第１の断面位置）の船体形状が重要となる。２５％未満であると、既に船底からの流れに淀みが生じていたり、船底からの渦の巻き込みを利用したプロペラ上部側の加速効果が薄れ、３０％を越えていると船底からの流れが少ないため、この形状にする効果が少なくなる。そのため、この第１の断面船体形状を規定する位置をこの範囲内とする。
【００１６】
この第１の断面位置において、その断面船体形状が、シャフトセンタより外側の船体幅が、基線よりシャフトセンタ高さの３０％以上９０％以下、上の水線位置（第１の水線位置）で、局所的な最大値を持つことにより、外側の断面船体形状は、上部側が開かない形状となり、下側から上側に行くに連れて膨らみ、局所的な最大値部分で大きく膨らんだ後、そのままか再度小さくなる形状、即ち、鉛直な形状（ここでは、首部を持つ形状という）になるか、外側上部が窪んで上部に括れ部を持つ形状かになる。そのため、船体から流れ込んで来る水流をプロペラ上部に導くことができる。シャフトセンタ高さの３０％未満であると、下脹れすぎてプロペラディスク面内における伴流分布の不均一性が増し、また、９０％を越えると上部方向に拡大するＶ字形状に近づき、流れを上部に導く効果が薄れる。
【００１７】
また、この外側の船体幅が局所的な最大値を持つ水線位置（第１の水線位置）でシャフトセンタラインを含む鉛直線により分けられる内外の船体幅に関して、内側の船体幅よりも外側の船体幅が大きく構成することで、淀みが発生し易い部分に船底からの流れをプロペラの上流側に流れ込ませることができるので、淀みの発生を抑制することができる。
【００１８】
更に、この第１の水線位置で、内側の船体幅と外側の船体幅の合計が、満載喫水における船体幅の１０％以上２５％以下であるように構成することにより、淀み発生抑制効果と抵抗増加のバランスを巧く取ることができる。１０％未満であると淀み発生抑制効果が少なく、また、２５％を越えると抵抗増加が大きくなり過ぎる。従って、１０％以上２５％以下が良い。
【００１９】
また、第２の断面船体形状を規定する第２の断面位置として、プロペラディスク面の直前となる、船尾垂線より垂線間長の５％前方の位置を選んでいる。この第２の断面位置において、シャフトセンタより外側の船体幅が、基線よりシャフトセンタ高さの４０％以上１００％以下、上の水線位置（第２の水線位置）で局所的な最大値を持つことに加えて、この第２の水線位置での内側の船体幅と外側の船体幅の合計に対して、基線よりもシャフトセンタ高さの１７０％上の水線位置（第３の水線位置）での内側の船体幅と外側の船体幅の合計が、０．０倍以上０．４倍以下となる上部括れ部を持つように構成すると、外側の断面船体形状は、下側から上側に行くに連れて膨らみ、局所的な最大値部分で大きく膨らんだ後、再度小さくなる形状、即ち、外側上部が窪んで上部くびれ部となる。そのため、船底から流れ込んで来る水流を船体に沿ってプロペラ上部に効率的に導くことができる。第２の水線位置が、シャフトセンタ高さの４０％未満であると、下脹れ過ぎてプロペラディスク面内における伴流分布の不均一性が増し、また、１００％を越えると上部方向に拡大するＶ字形状に近づき、流れをプロペラ上部に導く効果が薄れる。また、船体幅の比が０．４倍を越えると括れ部の括れ具合が少なく導入効果が薄れる。なお、プロペラ上部前方の船尾端が、船尾垂線より５％Ｌｐｐ（垂線間長）以上前にある場合には、この比が０．０となるので、０．０倍を下限としている。つまり、船尾垂線より垂線間長の５％前方の位置よりも更に前方にプロペラ上部前の船尾端がある場合も含んでいる。
【発明の効果】
【００２０】
本発明の船舶によれば、ツイン・スケグ・タイプのプロペラ推進の船舶において、プロペラ・ディスク面内の流れをより均一化でき、プロペラ作動に伴う船体振動の発生の低減、及び、プロペラキャビテーションの発生の低減を図ることができる。
【発明を実施するための最良の形態】
【００２１】
以下、図面を参照して本発明に係る船舶の実施の形態について説明する。本発明の対象となる船舶は、伴流分布が不均一になり易い、満載喫水（Load Water Line)ＬＷＬにおける方形係数（Ｃｂ）が０．６５以上０．９０以下のシャフトブラケットを有しない、２軸のプロペラ推進の船舶、所謂、ツイン・スケグ・タイプの船舶である。
【００２２】
図１に示すように、第１の実施の形態の船舶１Ａは、スケグ１０の形状が、下脹れで、基線ＢＬより上で膨らみ部１１を持ち、その上部が広がらない形状の部分（以下首部と言うことにする）を有して形成されるか、好ましくは、上部が括れた形状部分（以下括れ部と言うことにする）を有して形成される。この首部又は括れ部１２によって船底からの流れを図１の矢印Ｆで示すように、図２及び図３に示すプロペラ３の外側上部部分に導き、この外側上部部分の流速を速めることにより、プロペラディスク面Ｘｐ内における伴流分布の均一化を図る。
【００２３】
このスケグ１０の下膨れ形状は、図２及び図３に示す、船尾垂線ＡＰよりラン長さＬｒの２５％以上３０％以下前方の範囲内の少なくとも１つの断面船体形状（第１の断面船体形状）Ｘ１は、次のような特徴を持つ形状に形成される。なお、図２のＬｐｐは船尾垂線ＡＰと船首垂線ＦＰの距離である垂線間長を示し、Ｌｒは平行部Ｌｐの終わる位置Ｐｅから船尾垂線ＡＰまでの距離であるラン長さを示し、Ｌｅは平行部Ｌｐが始まる位置Ｐｓから船首垂線ＦＰまでの距離であるエントランス長さを示す。
【００２４】
第１の特徴は、図４に示すように、第１の断面船体形状Ｘ１において、シャフトセンタＳＣより外側の船体幅Ｂ１ｏが、シャフトセンタ高さｄｓｃの３０％以上９０％以下の高さ分だけ、基線ＢＬより上の第１の水線位置ｄ１ｍで局所的な最大値Ｂ１ｏｍを持つように形成される。つまり、ｄ１ｍ＝０．３×ｄｓｃ〜０．９×ｄｓｃとなる。この構成により、船底から船体に沿って上昇してくる流れに対して、局所的な最大値Ｂ１ｏｍを持たせて膨らみ部１１を設けて、即ち、船体を張り出して渦流れを生成し、この膨らみ部１１の上部の括れ部（あるいは首部）１２で船底からの渦流れをプロペラ３の上部側に導くことができる。
【００２５】
また、第２の特徴は、図４に示すように、シャフトセンタＳＣを含む鉛直線ＳＣＬにより分けられる内外の船体幅Ｂ１ｏ，Ｂ１ｉに関して、外側の船体幅Ｂ１ｏが局所的な最大値Ｂ１ｏｍを持つ第１の水線位置ｄ１ｍでは、内側の船体幅Ｂ１ｉｍと外側の船体幅Ｂ１ｏｍの合計Ｂ１ｍ（＝Ｂ１ｉｍ＋Ｂ１ｏｍ）が、満載喫水線ＬＷＬにおける船体幅Ｂの１０％以上２５％以下に形成されると共に、内側の船体幅Ｂ１ｉｍよりも外側の船体幅Ｂ１ｏｍが大きく形成される。つまり、Ｂ１ｍ＝０．１０×Ｂ〜０．２５×Ｂで、かつ、Ｂ１ｏｍ＞Ｂ１ｉｍとされる。これにより、スケグ１０による抵抗増加を抑制しつつ、スケグ１０の周囲の流れをプロペラ３の上部部分に効率よく導くことができるようになる。
【００２６】
更に、好ましくは、このスケグ１０の下膨れ形状は、図３に示す、船尾垂線ＡＰより垂線間長Ｌｐｐの５％前方の断面船体形状（第２の断面船体形状）Ｘ２は、図５に示すように、シャフトセンタＳＣより外側の船体幅Ｂ２ｏが、シャフトセンタ高さｄｓｃの４０％以上１００％以下の高さ分だけ基線ＢＬより上の第２の水線位置ｄ２ｍで局所的な最大値Ｂ２ｏｍを持つように形成される。つまり、ｄ２ｍ＝０．４×ｄｓｃ〜１．０×ｄｓｃとなる。この構成により、船底から船体に沿って上昇してくる流れに対して、淀みが発生し易い部分に局所的な最大値Ｂ２ｏｍを持たせて膨らみ部１１を設けて、即ち、船体を張り出して、船底からの流れをプロペラ上部側に導くことができる。
【００２７】
それと共に、この第２の断面船体形状Ｘ２は、第２の水線位置ｄ２ｍでの内側の船体幅Ｂ２ｉｍと外側の船体幅Ｂ２ｏｍの合計Ｂ２ｍ（＝Ｂ２ｉｍ＋Ｂ２ｏｍ）に対して、基線ＢＬよりもシャフトセンタ高さｄｓｃの１７０％上の第３の水線位置ｄ２ｎ（＝１．７×ｄｓｃ）での内側の船体幅Ｂ２ｉｎと外側の船体幅Ｂ２ｏｎの合計Ｂ２ｎ（＝Ｂ２ｉｎ＋Ｂ２ｏｎ）が、０．０倍以上０．４倍以下となるように形成される。つまり、Ｂ２ｎ＝０．０×Ｂ２ｍ〜０．４×Ｂ２ｍとされる。この構成により、膨らみ部１１の上部の括れ部１２により船底からの流れをより効率よくプロペラ３の上部側に導くことができる。
【００２８】
上記の構成の船舶１Ａによれば、船底からの流れをプロペラ３の上部側に導いて、プロペラ３の外側の上部部分の流速を増加することができるので、伴流分布を均一化でき、プロペラ作動時の船体振動の発生の低減、及び、プロペラキャビテーションの発生の低減を図ることができる。
【００２９】
次に、第２の実施の形態について説明する。図６〜図８に示すように、この第２の実施の形態の船舶１Ｂは、２軸間のトンネル部２の後方の船体の後端部に、流速抑制部材２０を取り付けて構成する。
【００３０】
この流速抑制部材２０は、その流体抵抗によりトンネル部２内の流れを邪魔して、プロペラディスク面Ｘｐ内におけるシャフトセンタＳＣより内側の流速を減速させる部材であればよいが、この流速抑制部材２０は抵抗増加の少ない方が良く、好ましくは、図７に示すような側面視で楔形状をした部材で形成し、船長方向の長さＬ１を垂線間長Ｌｐｐの０．０１倍以上０．０３倍以下とし、船底との間の角度αを３度以上１５度以下とする。つまり、Ｌ１＝０．０１×Ｌｐｐ〜０．０３×Ｌｐｐで、かつ、α＝３°〜１５°とする。この範囲の大きさにすると流速低減効果と抵抗増加のバランスが取れる。また、船舶１Ｂの幅方向には、図８に示すようにトンネル部２の全幅に設けても良く、抵抗増加を少なくすることを考慮して、中央部分を省いて、２つに分離して設けてもよい。
【００３１】
なお、この流速抑制部材２０は、抵抗が少なく、トンネル部２内の流れを減速できるものであれば良いので、側面視で楔形状をした部材以外のものでも良く、例えば、格子状の部材や船体から出したフィンや衝立のようなものなどでも良い。
【００３２】
上記の構成の船舶１Ｂによれば、２軸の間のトンネル部２における流速を流速抑制部材２０で減少させることができるので、スケグ１０の外側の部分の比較的遅い流速にスケグ１０の内側の部分の流速を近づけることができ、伴流分布を改善することができる。そして、この伴流分布の改善により、プロペラ作動時の船体振動の発生の低減、及び、プロペラキャビテーションの発生の低減を図ることができる。
【００３３】
次に、第３の実施の形態について説明する。図９〜図１１に示すように、この第３の実施の形態の船舶１Ｃは、第１の実施の形態の船舶１Ａの構成に加えて、更に、２軸間のトンネル部２の後方の船体の後端部に流速抑制部材２０を取り付けて構成する。
【００３４】
この流速抑制部材２０は、第２の実施の形態と同様に、好ましくは、図７に示すような側面視で楔形状をした形状に形成し、船長方向の長さＬ１を垂線間長Ｌｐｐの０．０１倍以上０．０３倍以下とし、船底との間の角度αを３度以上１５度以下とする。つまり、Ｌ１＝０．０１×Ｌｐｐ〜０．０３×Ｌｐｐで、かつ、α＝３°〜１５°とする。また、船舶１Ｃの幅方向には、図９に示すようにトンネル部２の全幅に設けても良く、抵抗増加を少なくすることを考慮して、中央部分を省いて、２つに分離して設けてもよい。
【００３５】
上記の構成の船舶１Ｃによれば、第１の実施の形態の船舶１Ａにおけるスケグ１０の形状による伴流分布の改善効果に加えて、第２の実施の形態の船舶１Ｂにおける流速抑制部材２０による伴流分布の改善効果を奏することができ、この相乗効果により、伴流分布を著しく改善できる。
【００３６】
そして、上記の構成の船舶１Ａ，１Ｂ，１Ｃによれば、２軸のツイン・スケグ・タイプのプロペラ推進の船舶において、プロペラ・ディスク面内の流れをより均一化でき、プロペラ作動に伴う船体振動の発生の低減、及び、プロペラキャビテーションの発生の低減を図ることができる。
【図面の簡単な説明】
【００３７】
【図１】第１の実施の形態の船舶の船体後部を示す正面形状図である。
【図２】第１の実施の形態の船舶の断面位置を示す図である。
【図３】図２の船体後部の部分拡大図である。
【図４】図１の船舶の第１位置の断面船体形状を示す片舷の正面形状図である。
【図５】図１の船舶の第２位置の断面船体形状を示す片舷の正面形状図である。
【図６】第２の実施の形態の船舶の船体後部を示す部分側面形状図である。
【図７】図６の流速抑制部材を示す部分拡大図である。
【図８】第２の実施の形態の船舶の船体後部を示す正面形状図である。
【図９】第３の実施の形態の船舶の船体後部を示す正面形状図である。
【図１０】図９の船舶の第１位置の断面船体形状を示す片舷の正面形状図である。
【図１１】図９の船舶の第２位置の断面船体形状を示す片舷の正面形状図である。
【図１２】従来技術におけるツイン・スケグ・タイプの船舶の船体後部を示す正面形状図である。
【符号の説明】
【００３８】
１Ａ，１Ｂ，１Ｃ，１Ｘ  船舶
２    トンネル部
３    プロペラ
１０    スケグ
１１    膨らみ部
１２    括れ部
２０    流速抑制部材
ＡＰ    船尾垂線
Ｂ      満載喫水における船体幅
ＢＬ    基線（ベースライン）
Ｂ１ｉ，Ｂ２ｉ  シャフトセンタの内側の船体幅
Ｂ１ｍ，Ｂ２ｍ  片舷の船体幅
Ｂ１ｏ，Ｂ２ｏ  シャフトセンタの外側の船体幅
Ｂ１ｏｍ，Ｂ２ｏｍ  局所的な最大値
ＣＬ    センタライン
ｄ１ｍ  第１の水線位置
ｄ２ｍ  第２の水線位置
ｄ２ｎ  第３の水線位置
ｄｓｃ  シャフトセンタ高さ
ＦＰ    船首垂線
Ｌ１    流速抑制部材の船長方向の長さ
Ｌｐｐ  垂線間長
Ｌｒ    ラン長さ
ＬＷＬ  満載喫水線
ＳＣ    シャフトセンタ
ＳＣＬ  シャフトセンタを含む鉛直線
Ｘ１    第１の断面船体形状
Ｘ２    第２の断面船体形状
Ｘａ    船尾端の断面船体形状
Ｘｐ    プロペラディスク面
α      流速抑制部材の船底との間の角度
【図１】
2008013039.tif 000003
【図２】
2008013039.tif 000004
【図３】
2008013039.tif 000005
【図４】
2008013039.tif 000006
【図５】
2008013039.tif 000007
【図６】
2008013039.tif 000008
【図７】
2008013039.tif 000009
【図８】
2008013039.tif 000010
【図９】
2008013039.tif 000011
【図１０】
2008013039.tif 000012
【図１１】
2008013039.tif 000013
【図１２】
2008013039.tif 000014